(57)【要約】  本明細書に記載の技術は、ウェーハの裏側表面に薄膜を堆積させて、ウェーハの湾曲及び歪みを低減するプロセスチャンバを含む。基板支持部が、ウェーハの底面及び／又は側面の周囲に環状の外周封止を施し、これによって、基板裏面の大部分がプロセス環境に対して露出されることが可能になる。支持されるウェーハによって、チャンバが下部チャンバと上部チャンバとに分割され、これによって、それぞれ異なるプロセス環境が提供される。プロセスチャンバの下部セクションは、薄膜の貼り付け及び除去を行うように構成された堆積ハードウェアを含む。上部セクションは、化学的に不活性な環境のままであってよく、これにより、ウェーハの上面の既存のフィーチャが保護される。堆積ガスがウェーハの作業面に到達するのを防ぐ為に、複数の排気口と圧力差とが使用される。
2020529130.tif 000002
【特許請求の範囲】
【請求項１】
基板の裏面に膜を堆積させる装置であって、
上部セクション及び下部セクションを有するプロセスチャンバと、
前記プロセスチャンバ内に配置されて、基板を前記上部セクションと前記下部セクションとの間で保持するように構成された基板支持部であって、前記基板は、電気デバイス用の表側表面と、前記表側表面の反対側の裏側表面とを有し、前記基板支持部は、前記表側表面の内側領域と接触することなく、且つ、前記裏側表面の内側領域と接触することなく、前記基板を前記基板の外周部で支持するように構成されており、前記基板支持部は、前記表側表面が前記上部セクションに向いていて、前記裏側表面が前記下部セクションに向いている状態で、前記基板を支持するように構成されている、前記基板支持部と、
前記下部セクションに配置されて、前記基板が前記基板支持部によって保持されている場合には前記基板の前記裏側表面と向き合う第１のガス分配ユニットであって、前記基板の前記裏側表面に膜を堆積させる為の堆積ガスを前記基板の前記裏側表面に誘導するように構成されている前記第１のガス分配ユニットと、
前記下部セクションより大きなガス圧力を前記上部セクションに形成するのに十分な不活性ガスを前記プロセスチャンバの前記上部セクションに流すように構成された第２のガス分配ユニットと、
前記第１のガス分配ユニットからの前記堆積ガスの流れを、前記堆積ガスが前記基板の前記裏側表面に堆積するように制御するよう構成されたコントローラであって、前記基板が前記基板支持部の上に載っているときに前記堆積ガスが前記下部セクションから前記基板の前記表側表面に通り抜けることを防ぐのに十分なガス圧力差を維持するように、前記上部セクションに入る前記不活性ガスの流れを制御するように構成された前記コントローラと、
を含む装置。
【請求項２】
前記上部セクションにつながっている第１の真空排気口と、前記下部セクションにつながっている第２の真空排気口と、を更に含み、前記コントローラは、前記基板が前記プロセスチャンバ内で支持されているときに前記上部セクションと前記下部セクションとの間に圧力差が形成されるように、前記第１の真空排気口及び前記第２の真空排気口を制御するように構成されている、請求項１に記載の装置。
【請求項３】
前記上部セクションにつながっている第１の真空排気口と、前記下部セクションにつながっている第２の真空排気口と、を更に含み、前記第１の真空排気口及び前記第２の真空排気口は単一の真空ポンプにつながっている、請求項１に記載の装置。
【請求項４】
前記基板が前記プロセスチャンバ内で支持されているときの前記上部セクションと前記下部セクションとの間の圧力差を測定する圧力ゲージを更に含み、前記コントローラは、第１の真空排気口及び第２の真空排気口を制御することによって前記基板のたわみを制御するように構成されている、請求項１に記載の装置。
【請求項５】
前記第１のガス分配ユニットは、前記堆積ガスを制御可能に加熱するように構成された第１の加熱機構を含む、請求項１に記載の装置。
【請求項６】
前記プロセスチャンバの前記上部セクションに配置された第２の加熱機構を更に含み、前記第２の加熱機構は、前記基板の前記表側表面に接触することなく前記基板を加熱するように構成されている、請求項１に記載の装置。
【請求項７】
前記第２の加熱機構は、前記基板の前記表側表面に向かって移動可能であり、前記基板の前記表側表面から離れるように移動可能である、請求項６に記載の装置。
【請求項８】
前記基板支持部は、前記プロセスチャンバ内で前記基板を垂直方向に平行移動させるように構成されている、請求項１に記載の装置。
【請求項９】
前記第１のガス分配ユニットは、前記基板の前記裏側表面に向かって移動可能であり、前記基板の前記裏側表面から離れるように移動可能である、請求項１に記載の装置。
【請求項１０】
前記第１のガス分配ユニットに接続されて前記堆積ガスを生成するように構成されたリモートプラズマソースを更に含む、請求項１に記載の装置。
【請求項１１】
基板の裏面に膜を堆積させる装置であって、
上部セクション及び下部セクションを有するプロセスチャンバと、
前記プロセスチャンバ内に配置されて、基板を前記上部セクションと前記下部セクションとの間で保持するように構成された基板支持機構であって、前記基板は、電気デバイス用の表側表面と、前記表側表面の反対側の裏側表面とを有し、前記基板支持機構は、前記表側表面の内側領域と接触することなく、且つ、前記裏側表面の内側領域と接触することなく、前記基板を前記基板の外周部で支持するように構成されており、前記基板支持機構は、前記表側表面が前記上部セクションに向いていて、前記裏側表面が前記下部セクションに向いている状態で、前記基板を保持するように構成されており、前記基板支持機構は、前記基板が前記基板支持機構によって保持されている場合には、堆積ガスが前記下部セクションから前記上部セクションに通り抜けることを防ぐのに十分な封止を前記基板の前記外周部に形成するように構成されている、前記基板支持機構と、
前記プロセスチャンバの前記下部セクションに配置されて、前記基板が前記基板支持機構によって保持されている場合には前記基板の前記裏側表面と向き合うガス分配ユニットであって、前記基板の前記裏側表面に膜を堆積させる為の堆積ガスを前記基板の前記裏側表面に誘導するように構成された前記ガス分配ユニットと、
前記ガス分配ユニットからの前記堆積ガスの流れを、前記堆積ガスが前記基板の前記裏側表面に堆積するように制御するよう構成されたコントローラと、
を含む装置。
【請求項１２】
前記基板支持機構は、前記基板の前記外周部に接触するように構成された変形可能部材を含む、請求項１１に記載の装置。
【請求項１３】
前記変形可能部材は、前記基板の周辺エッジを囲むように構成された膨張式ブラダを含み、前記膨張式ブラダは、膨らませると、前記基板を保持して前記封止を形成し、しぼませると、前記基板を前記プロセスチャンバから引き抜くことが可能になる、請求項１２に記載の装置。
【請求項１４】
前記変形可能部材は、前記基板の前記裏側表面の周辺部で前記裏側表面と接触するように構成されたＯリングを含む、請求項１２に記載の装置。
【請求項１５】
前記変形可能部材は、第１のＯリング及び第２のＯリングを含み、これらは両方とも、前記基板の周辺部で前記裏側表面と接触するように構成されており、前記第１のＯリングと前記第２のＯリングとの間に隙間が存在するように、前記第１のＯリングは前記第２のＯリングより小径である、請求項１２に記載の装置。
【請求項１６】
前記基板支持機構は、前記第１のＯリングと前記第２のＯリングとの間に配置された真空排気口を含む、請求項１５に記載の装置。
【請求項１７】
前記基板支持機構は、前記第１のＯリングと前記第２のＯリングとの間に配置されたリフトピンを含み、前記リフトピンは、前記基板を前記第１のＯリング及び前記第２のＯリングから上昇させたり下降させたりするように構成されている、請求項１５に記載の装置。
【請求項１８】
前記第１のＯリングは、前記第２のＯリングより垂直高さが低い、請求項１５に記載の装置。
【請求項１９】
前記第１のＯリングは、前記第２のＯリングより変形可能である、請求項１５に記載の装置。
【請求項２０】
基板の裏面に膜を堆積させる装置であって、
上部セクション及び下部セクションを有するプロセスチャンバと、
前記プロセスチャンバ内に配置されて、基板を前記上部セクションと前記下部セクションとの間で保持するように構成された基板支持機構であって、前記基板は、電気デバイス用の表側表面と、前記表側表面の反対側の裏側表面とを有し、前記基板支持機構は、前記表側表面の内側領域と接触することなく、且つ、前記裏側表面の内側領域と接触することなく、前記基板を前記基板の外周部で支持するように構成されており、前記基板支持機構は、前記表側表面が前記上部セクションに向いていて、前記裏側表面が前記下部セクションに向いている状態で、前記基板を保持するように構成されている、前記基板支持機構と、
前記プロセスチャンバの前記下部セクションに配置されて、前記基板が前記基板支持機構によって保持されている場合には前記基板の前記裏側表面と向き合うガス分配ユニットであって、前記基板の前記裏側表面に膜を堆積させる為の堆積ガスを前記基板の前記裏側表面に誘導するように構成された前記ガス分配ユニットと、
前記プロセスチャンバの前記上部セクションに配置されて、前記基板の前記外周部全体にわたって不活性ガスを誘導するように構成された不活性ガス分配ユニットと、
前記基板支持機構の外側部分に配置されて、前記上部セクションから前記不活性ガスを受けるように構成された第１のガス排気口、並びに、前記基板支持機構の内側部分にあって、前記下部セクションから前記堆積ガスを受けるように構成された第２のガス排気口と、
前記ガス分配ユニットからの前記堆積ガスの流れを、前記堆積ガスが前記基板の前記裏側表面に堆積するように制御するよう構成され、前記不活性ガスの流れを制御するように構成されたコントローラであって、前記堆積ガスが前記表側表面に到達しないように、不活性ガスの圧力を堆積ガスの圧力より大きくするように構成された前記コントローラと、
を含む装置。
【発明の詳細な説明】
【技術分野】
【０００１】
関連出願の相互参照
本出願は、参照により完全な形で本明細書に組み込まれている、２０１７年７月２８日に出願された米国仮特許出願第６２／５３８，２５１号明細書、件名「Ｓｙｓｔｅｍ  ａｎｄ  Ｍｅｔｈｏｄ  ｆｏｒ  Ｂａｃｋｓｉｄｅ  Ｄｅｐｏｓｉｔｉｏｎ  ｏｆ  ａ  Ｓｕｂｓｔｒａｔｅ」の利益を主張するものである。
【０００２】
本開示は半導体製造に関し、特にウェーハオーバーレイに関する。
【背景技術】
【０００３】
半導体製造は、複数の様々なステップ及びプロセスを含む。典型的なプロセスの１つとして、フォトリソグラフィと呼ばれるものがある（マイクロリソグラフィとも呼ばれる）。フォトリソグラフィでは、紫外光又は可視光等の放射線を使用して、光反応膜を使用する半導体デバイス設計において微細パターンを生成する。フォトリソグラフィ、エッチング、膜堆積、表面清浄、メタライゼーション等の半導体製造技術を用いて、ダイオード、トランジスタ、集積回路等の多様な半導体デバイスを製造することが可能である。
【０００４】
フォトリソグラフィ技術の実施には露光システム（露光ツールとも呼ばれる）が使用される。露光システムは、典型的には、照明システムと、回路パターンを作成するレチクル（マスクとも呼ばれる）又は空間光変調器（ＳＬＭ）と、投影システムと、感光レジストでコーティングされた半導体ウェーハをアライメントするウェーハアライメントステージとを含む。照明システムは、レチクル又はＳＬＭの一領域を（好ましくは）矩形スロットの照明フィールドで照明する。投影システムは、レチクルパターンの照明された領域の像をウェーハ上に投影する。投影を正確に行う為には、好ましくは高さの偏差が１０ナノメートル未満である、比較的平坦であるか平面であるウェーハに光のパターンを露光することが重要である。
【０００５】
現行の半導体製造開発では、フィーチャサイズを小さくしてデバイス密度を高める為に、高度パターニングや３Ｄデバイス構造などの技術を取り入れている。しかしながら、このような技術の実装は、微細加工を適切に行う為の新たな課題を生み出している。これらの新しい製造方法は、様々な材料の膜の複数の層をウェーハ表面に作成することを含む。しかしながら、各層は、ウェーハの表面に更なる応力を追加する。膜の層が積み上がるにつれて、引き起こされる応力が平坦なウェーハを歪ませる。この歪みは、ウェーハの表面全体にわたってクリティカルフィーチャのサイズ均一性を低下させるものとして示されてきた。
【０００６】
この歪みは更に、オーバーレイエラー及び問題を引き起こす。様々な製造プロセスステップが基板の膨張及び／又は収縮を引き起こして、基板をそらせたり湾曲させたりする可能性がある。例えば、露光中の基板は、露光ビームから基板に伝わるエネルギによって局所的に加熱される。基板は、アニールプロセスの間も加熱される。この加熱は基板の膨張を引き起こす。基板の膨張が抑制されない場合、膨張はオーバーレイエラー要件を超える。更に、基板と基板チャックとの間のクランプ力が基板の膨張を防ぐには不十分であると、基板は、基板チャックで滑って、基板の膨張がより大きくなり、結果としてオーバーレイエラーがより大きくなる可能性がある。滑りは、極端紫外線（ＥＵＶ）システム等、プロセスによっては一層顕著になる場合があり、これは、露光中の基板を取り巻く環境が真空である為である。従って、真空クランプが常に可能というわけではなく、真空クランプの代わりに、より弱い静電クランプが使用されなければならない。
【０００７】
別の製造ステップも基板の膨張及び収縮を引き起こす可能性がある。例えば、堆積した膜が基板の収縮を引き起こす可能性がある。更に、様々なアニールステップ又はドープステップが、所与の基板においてかなりの規模の湾曲を引き起こす可能性がある。アニールステップは、オーバーレイ問題を特に引き起こす可能性がある。これらの様々な製造ステップの結果として、基板は均一でなくなり、或いは平坦でなくなる。例えば、基板の裏面にｚ高低差（垂直高さの差）がある場合があり、高い場所もあれば低い場所もある。そのような湾曲による高低差は、約１ミクロンから約１００ミクロンのオーダーである場合がある。様々な露光ツールによって露光される半導体デバイス又は半導体構造は、数十ナノメートルから数百ナノメートルのスケールで露光される為、そのような変動はかなり大きい。従って、たわみの変動が数千ナノメートルから１０，０００ナノメートルになると、歩留まりが劇的に低下する可能性がある。
【発明の概要】
【０００８】
部分的にプロセスされる基板に関して、基板の湾曲や不均一な曲率に対処する為に使用される従来技術は、基板を基板保持器にチャック（又はクランプ／吸引）して曲率を平坦にするチャック技術に重点を置いている。しかしながら、湾曲が相対的に顕著である場合は、チャックだけで基板を正確に平坦にするのは非常に困難であるか不可能である可能性がある。そこで、更なる露光の為にスキャナに送られるか戻される前に基板の湾曲を補正してオーバーレイを改善する基板湾曲補正技術を持つことが望ましい。
【０００９】
本明細書に開示の技術は、基板の裏面に膜を堆積させて、基板の作業面にかかる応力を相殺する補正応力又は補償応力を生成することにより、基板を平坦化するシステムを含む。即ち、ウェーハの裏側に膜を貼り付けることにより、ウェーハの表側の応力面とのバランスを取って、平坦度の歪みを低減することが可能である。
【００１０】
基板の裏面に膜を堆積させることは難題である。多様な半導体製造ツールが基板の表側（上面又は作業面）に膜を堆積させるが、裏面堆積はごく普通に行われるものではない。表側に堆積させる場合は、通常、基板はチャック、サセプタ、又はプレートに載せられ、その面にクランプされてよい。そのようなチャックは、裏側表面にかき傷や欠陥を生じさせる。結果として基板の裏面に発生したかき傷や欠陥は、一般には重要ではなく、それは、裏面表面にはフィーチャやデバイス（トランジスタ）が存在しない為である。既存の堆積ツールを使用して基板の裏面に膜を堆積させる場合は、基板をひっくり返して、支持面上に置いて、プロセスを行うことになる。基板を表側表面でチャックすると、かき傷をつけることになり、欠陥を発生させることになり、製造中のフィーチャをほぼ破壊することになる。従って、デバイス製造を適切に行う為には、基板の表側表面をチャック上に置くべきではなく、チャックにクランプすべきではなく、チャックに接触させるべきではない。１つの解決策は表側表面に保護コーティングを施すことであるが、そのような保護コーティングは、新たな幾つかの難題をもたらし、これには、保護層の下のフィーチャ及び構造を損傷することなく、保護層を貼り付け、完全に除去することが含まれる。
【００１１】
本明細書に記載の技術は、基板の既存の向きを維持しながら、表側表面のデバイス領域と接触することなく、且つ、裏側表面の内側領域と接触することなく、基板に対して膜の裏面堆積を実現する。本明細書に記載の技術は、所与の基板の裏側表面の外周部又は周辺部においてのみ基板と接触し、裏側表面のそれ以外の部分がプロセスされることを可能にする。本明細書に記載の技術は、プロセスチャンバの上部セクションをプロセスチャンバの下部セクションから効果的に封止して、下部セクションの堆積ガスが基板の表側表面に堆積できないようにする基板保持器を含む。基板のいずれの側にも物理的に接触せずに、基板を膜堆積の為に適切に加熱することは難題である。従来、基板保持器（チャック）は、典型的には、様々なプロセスで必要となる温度制御を提供する。本明細書に記載の技術は、基板の上方に別個且つ異質の環境を形成することによる、温度制御の代替手段を提供し、これは、圧力及びガスの適切な選択により、基板温度を効果的に制御する可動温度制御面と組み合わされることが可能である。
【００１２】
もちろん、本明細書に記載の様々なステップの説明の順序は、分かりやすいように示されている。一般に、これらのステップは、任意の適切な順序で実施されてよい。更に、本明細書に記載の様々な特徴、技術、構成等のそれぞれが本開示の様々な場所で説明されている場合があるが、それらの概念のそれぞれは、互いに無関係に実行されてよく、或いは、互いに組み合わされて実行されてよいものとする。従って、本発明は、多様な様式で実施及び考察されてよい。
【００１３】
なお、この概要セクションは、本開示又は特許請求される発明の全ての実施形態を明記するものではなく、且つ／又は、その新規な態様を１つ１つ明記するものでもない。むしろ本概要は、様々な実施形態と、これに対応する、従来技術に対する新規点の予備的説明を提供するに過ぎない。本発明及び実施形態の更なる詳細及び／又は可能な展望については、この後に詳述されている、本開示の「発明を実施するための形態」セクション及び対応図面を参照されたい。
【００１４】
以下の詳細説明を参照し、添付図面と併せて検討することにより、本発明の様々な実施形態のより完全な評価、並びにそれらに付随する利点の多くが容易に明らかになるであろう。図面は、縮尺が必ずしも正確ではなく、むしろ、特徴、原理、及び概念を図解することに重点が置かれている。
【図面の簡単な説明】
【００１５】
【図１】裏面堆積システムの一例の断面図である。
【図２】表側堆積を阻止する基板支持部の拡大断面図である。
【図３】基板支持部の封止機構の一例の断面図である。
【図４】基板支持部の封止機構の一例の断面図である。
【図５】基板支持部の封止機構の一例の断面図である。
【図６】基板支持部の封止機構の一例の断面図である。
【発明を実施するための形態】
【００１６】
本明細書に記載の技術は、基板平坦度の歪みを解消又は低減する為に半導体基板の裏側表面に薄膜を貼り付ける為のプロセスチャンバを含む。即ち、本明細書に記載のシステムは、ウェーハの裏側表面に膜を堆積させることにより、湾曲したウェーハを平坦にすることを支援する。本明細書に記載のプロセスチャンバは基板支持部を含み、この基板支持部は、基板の底面及び／又は側面の周囲に環状の外周封止を施し、これによって、基板裏面の大部分がプロセス環境に対して露出されることが可能になる。基板をクランプして封止する様々な手段のうちの１つが選択されてよい。基板が封止を形成する場合、チャンバは、本質的には２つの部分に分けられ、下部チャンバと上部チャンバに分けられるか、プロセス環境に関してそれぞれ別個であって異質であるセクションに分けられる。プロセスチャンバの下部セクションは、薄膜の貼り付け及び除去を行うように構成された堆積ハードウェアを含む。堆積ハードウェアは、化学気相成長（ＣＶＤ）、原子層堆積（ＡＬＤ）、超原子層堆積（ＳＡＬＤ）、プラズマＣＶＤ（ＰＥＣＶＤ）、及び原子層エッチング（ＡＬＥ）を含む様々なタイプの何れかであってよい。下部セクションは更に、プロセスを可能にしたり強化したりするリモートプラズマユニットを組み込むように構成されてよい。リモートプラズマユニットは、供給パイプ又はリングとして、或いは他の代替の配備可能な構成として組み込まれてよい。上部セクションは、化学的に不活性な環境のままであってよく、これにより、基板の上面の既存のフィーチャが保護される。
【００１７】
基板支持システムによって施される封止は、上部セクションからのパージガス流が不要であるという点で有利である。そのようなパージガス流は、望ましくない結果をもたらす可能性がある。本明細書に記載の技術によれば、上部セクションは、下部セクションとは別個の環境になることが可能であり、同時に、基板の温度制御の有効な手段を提供することが可能である。
【００１８】
ここで図１を参照すると、一実施形態は、基板１０５の裏面に膜を堆積させる裏面堆積システム１００を含む。本システムはプロセスチャンバを含み、プロセスチャンバは上部セクション１１１及び下部セクション１１２を有する。基板支持機構１２０がプロセスチャンバ内に配置されており、基板１０５を上部セクション１１１と下部セクション１１２との間で保持するように構成されている。基板１０５は、電気デバイス用の表側表面１０６と、表側表面の反対側の裏側表面１０７とを有する。例えば、半導体製造では、シリコンウェーハが使用され、典型的には、基板の一方の側にトランジスタ等のデバイスが形成される。ほとんどのプロセスでは、基板は、典型的には上を向いており、裏面は様々な基板保持器にマウント又はチャックされる。そして上面は、その上で半導体デバイスの微細加工が行われる作業面又は表側表面である。反対側は、裏面又は裏側表面と呼ばれる。
【００１９】
しかしながら、本明細書に記載の基板支持機構１２０は、表側表面１０６の内側領域と接触することなく、且つ、裏側表面１０７の内側領域と接触することなく、基板１０５を基板の外周部で支持するように構成されている。即ち、基板は、基板の周辺部においてのみ手で扱われたり接触されたりする。これは、裏側表面の外側リングを含んでよい。そのような基板は、典型的には円形であるが、矩形又は他の形状であってよく、寸法も様々であってよい。よくある基板サイズの１つは、円形基板の３００ｍｍ径である。非限定的な例として、基板支持機構（又は基板支持機構の要素）は、裏側表面及び／又は表側表面の、基板の外側エッジから基板の中心に向かっておよそ数ミリメートルから１２ミリメートル以上延びている領域に接触してよい。従って、裏側表面の内側領域の大部分（例えば、この例では、径が約２６０〜２９８ｍｍの領域）は、基板支持機構と接触しない。但し、これらは寸法の例に過ぎない。一般的な基板であれば、基板の周囲面においてのみ支持部材と接触する。
【００２０】
基板支持機構１２０は、表側表面１０６が上部セクション１１１に向いていて、裏側表面１０７が下部セクション１１２に向いている状態で、基板を保持するように構成されている。このことは、基板が１つのシステムから別のシステムへとフリッピングされることを必要としない為に、プロセスによっては有利になりうる。基板支持機構は、堆積ガスが下部セクションから上部セクションに通り抜けることを防ぐのに十分な封止を基板の外周部に形成するように構成されてよい。例えば、封止を通り抜けて上部セクションと下部セクションとの間を移動できるガスがない（又はほとんどない）ように、基板の周囲に流体封止が形成される。例えば、エラストマ材料を使用して、且つ／又は圧力差によって、封止が形成されてよい。従って、基板支持機構は、ガス流又は圧力差の一構成としての実施形態であってよい。基板１０５が裏面堆積システム１００内にしかるべく保持され、基板の周辺部に封止が形成された状態では、基板は、本質的には、プロセスチャンバを上部セクション１１１と下部セクション１１２とに分割しており、又、プロセスチャンバを異なる２つの環境に分割するように機能している。例えば、上部セクション１１１は、プロセス圧力、温度、及びガスの化学的性質が下部セクションと異なり得る。なお、上部セクションと下部セクションは、体積又はサイズが必ずしも等しくない。
【００２１】
本システムは、プロセスチャンバの下部セクションにガス分配ユニット１３２が配置されており、基板が基板支持機構によって保持されている場合には、ガス分配ユニット１３２は基板の裏側表面と向き合う。ガス分配ユニットは、基板の裏側表面１０７に膜を堆積させる為の堆積ガスを基板の裏側表面に誘導するように構成されている。コントローラ１５０が、ガス分配ユニット１３２からの堆積ガスの流れを、堆積ガスが基板の裏側表面に堆積するように制御するよう構成されている。従って、様々な堆積プロセスが実行されてよく、そのようなプロセスとして、化学気相成長（ＣＶＤ）、原子層堆積（ＡＬＤ）、超原子層堆積（ＳＡＬＤ）、プラズマＣＶＤ（ＰＥＣＶＤ）、及び原子層エッチング（ＡＬＥ）がある。そのような膜が基板の裏側表面に堆積され、基板の表側表面には堆積されない。そして、そのような膜は、ウェーハの湾曲を相殺して基板をより平坦にするように張力又は圧縮応力を選択的に与える為に、材料組成及び厚さを調節されてよい。
【００２２】
基板支持機構１２０は、基板の外周部の位置で基板を支持する棚として実施されてよい。基板支持機構が封止接触を実現していれば、基板のクランプは圧力差によって達成可能である。例えば、上部セクションで維持される圧力が、下部セクションで維持される圧力より相対的に大きければ、基板は、基板支持機構又は支持機構の要素に押しつけられることになる。これにより、基板はそのエッジにおいて効果的に封止される。支持機構は、プロセスチャンバ内での基板の位置決めを調節する為に、且つ／又は圧力差の維持を支援する為に、上下に可動である。封止の形成に十分な圧力でありながら、基板に過剰に応力がかかったり、基板が過剰にたわんだり、割れたりしない程度の圧力になるようにする為には、圧力差を厳密に制御することが有利である。
【００２３】
基板支持機構は、基板の外周部に接触するように構成された変形可能な部材を含んでよい。そのような変形可能部材は、基板においてガス封止を実現することに役立ちうる。図６を参照すると、変形可能部材は、基板の周辺エッジを囲むように構成された膨張式ブラダ１６１を含み、膨張式ブラダは、膨らませると、基板を保持して封止を形成し、しぼませると、基板をプロセスチャンバから引き抜くことが可能になる。言い換えると、膨張式チューブが、例えば、基板を取り囲み、基板エッジを基板の中心点に向かって押す。そのようなブラダは、膨張可能材料の一部分が表側表面及び裏側表面の一部分と接触するように、基板のエッジを越えて動くことが可能である。
【００２４】
図３〜５を参照すると、別の実施形態では、変形可能部材は、基板裏面の周辺部で裏側表面と接触するように構成されたＯリングを含む。これは、第１のＯリング１６３及び第２のＯリング１６４を含んでよく、これらは両方とも、基板の周辺部で裏側表面と接触するように構成されている。第１のＯリング１６３と第２のＯリング１６４との間に隙間が存在するように、第１のＯリング１６３は第２のＯリングより小径であってよい。基板支持機構は、第１のＯリング１６３と第２のＯリング１６４との間に真空排気口１６７が配置されてよい。基板支持機構１２０は、第１のＯリング１６３と第２のＯリング１６４との間に、基板を第１のＯリング及び第２のＯリングから上昇させたり下降させたりするように構成されたリフトピン１６９が配置されてよい。第１のＯリングは、基板のたわみの輪郭によりよく追従するように、第２のＯリングより垂直高さが低くてよく、且つ／又は、第１のＯリングは第２のＯリングより変形可能であってよい。
【００２５】
図１を参照すると、実施形態は、プロセスチャンバの上部セクション１１１内にガス送達入口１７１が配置されていてよく、ガス送達入口１７１は、空気流を表側表面の内部領域から基板の周辺領域に誘導するシャワーヘッドアセンブリ又は他のガス分配導管を含んでよい。コントローラ１５０は、基板がプロセスチャンバ内で支持されているときに上部セクションと下部セクションとの間に圧力差が形成されるように、ガス送達入口１７１から、並びにガス分配ユニット１３２からのガス流を制御するように構成されてよい。上部セクションには第１の真空排気口１７４がつながっていてよく、下部セクションには第２の真空排気口１３４がつながっていてよい。コントローラ１５０は、基板がプロセスチャンバ内で支持されているときに上部セクションと下部セクションとの間に圧力差が形成されるように、第１の真空排気口及び第２の真空排気口を制御するように構成されてよい。
【００２６】
基板がプロセスチャンバ内で支持されているときの上部セクションと下部セクションとの間の圧力差を測定する為に、且つ、圧力差を調節する為のプロセスフィードバックを与える為に、圧力ゲージが配置されてよい。コントローラは、第１の真空排気口１７４及び第２の真空排気口１３４を制御することによって基板のたわみを制御するように構成されてよい。ガス分配ユニットは、堆積ガスを制御可能に加熱するように構成された第１の加熱機構１３７を含んでよい。プロセスチャンバの上部セクションには、第２の加熱機構１７７が配置されてよい。第２の加熱機構１７７は、放射熱及び／又は対流などにより、基板の表側表面に接触することなく基板を加熱するように構成されている。
【００２７】
基板支持機構は、プロセスチャンバ内で基板を垂直方向に平行移動させるように構成されてよい。言い換えると、基板を保持及び封止したまま上下に移動させるように。別の実施形態では、ガス分配ユニットは、基板の裏側表面に向かって移動可能であり、基板の裏側表面から離れるように移動可能である。この移動は、堆積されている膜のタイプに応じて有利でありうる。別の実施形態では、第２の加熱機構１７７は、基板の表側表面に向かって移動可能であり、基板の表側表面から離れるように移動可能である。本システムは、ガス分配ユニットに接続されて堆積ガスを生成するように構成されたリモートプラズマソース１５５を含んでよい。なお、所与のガス分配ユニットの一部分がプロセスチャンバの外側に位置してよいが、シャワーヘッド等の導管はプロセスチャンバの内部に位置する。
【００２８】
基板上方の加熱器は、加熱ランプ又は他の加熱投影装置（例えば、ラスタ投影又はスキャン投影）であってよい。加熱器は、放射プレート又は対流機構を含んでもよい。基板と加熱器の間隔は、特定の堆積反応に応じて最小化されてよい。熱伝導を支援する為に上部セクション内で、ヘリウム等の有利なガス種が使用されてよい。
【００２９】
別の実施形態では、本システムは、外周部に物理的封止がない状態で、又は（基板保持器に載っているときに）基板保持器と基板外周部との間の空気流を物理的に遮断するだけの封止がない状態で機能する。この実施形態では、裏側表面に膜を堆積させる為に使用される堆積ガスが、基板の裏側表面に流れ、その後、排気口に流れるが、外周部のガス圧力の為に基板の表側表面には流れないように、圧力差又は空気流差が形成される。図２はこの実施形態を示す。基板支持機構１２０の断面が示されている。この実施形態では、基板支持機構は、剛体の環状支持部であって、基板と接触する平坦な支持面を有する。この図では、基板１０５のエッジが裏面堆積装置の基板保持器上に載っている。この実施形態では、基板の外周部が封止材の上に載っていることは必須ではない。その代わりに、表側表面で発生して排気口に向かう不活性ガス又はパージガスによる、より高いガス圧力によって、堆積ガスが基板の表側表面に全く到達しないようになっている。例えば、不活性ガス流が、基板の外周部を横断して、大まかには裏側表面に向かって、或いは概ね下流方向に流れるように誘導されてよい。このガスの圧力差自体が、基板と基板支持部との間の封止を形成することが可能である。
【００３０】
所与のガス圧力差は、堆積されている特定の膜材料、及び／又は堆積プロセスのタイプに基づいてよい。非限定的な例として、下部セクションの圧力が約１トルで維持されている場合、上部セクションの圧力は約１．５トルで維持されることが可能である。圧力差は、堆積ガスが基板の表側表面に移動するのを防ぐのに十分な大きさでありながら、基板の過剰なたわみを引き起こすほど大きくはないように維持されることが好ましい。
【００３１】
実施形態によっては、排気口が１つであってよく、実施形態によっては、排気口が２つ以上であってよい。不活性ガスがチャンバの上部部分（表側表面領域）から発生して基板の表側表面を横断する為の排気口（第１の真空排気口１７４）と、基板の裏側表面からの堆積ガスのための排気口（第２の真空排気口１３４）とがある。不活性ガスは、裏側表面の堆積反応に干渉しないように選択されているという点で不活性である。従って、不活性ガスは、あらゆる化学的性質において不活性である必要はないが、不活性ガスが裏側表面に到達した場合には堆積を乱さない。図２の矢印は、基板支持機構の領域内の空気流を示す。
【００３２】
なお、基板と基板支持部との間には小さい隙間がある。これは、基板が支持部の上に載っているに過ぎず、基板が完全には平坦でない為に幾らかの隙間があることが原因である可能性がある。これは、様々な製造技術に起因する、ウェーハの典型的な湾曲の結果である可能性がある。従って、基板と基板支持部との間に空間があれば、堆積ガスがこれらの隙間を通り抜けて、基板の上面まで移動するのに十分な空間がある。しかしながら、この実施形態では、基板の外周部全体にわたって、不活性ガスの圧力が、堆積ガスの圧力に比べて大きい圧力で維持される。基板支持部の外側部分において不活性ガスの圧力を、下部セクション１１２内の堆積ガスの圧力より高く維持することにより、堆積ガスが基板と基板支持部との隙間を通り抜けることが阻止される。
【００３３】
不活性ガスは、圧力がより高いことに加えて、表側表面から離れて位置する不活性ガス排気口（第１の真空排気口１７４）に向かうように誘導されてよい。従って、この排気口に向かう不活性ガスの流れによって、堆積ガスが表側表面に到達することが更に阻止されうる。そのような構成により、不活性ガス流はほとんどが第１の真空排気口１７４に流れるが、上部セクション１１１内の圧力がより高いことにより、不活性ガスの一部が基板と基板支持部との隙間を通り抜けて第２の真空排気口１３４に流れることになる。従って、この実施形態では、基板の周辺部の周囲での封止が不要であり、このガス圧力差及び／又は方向性ガス流により、堆積ガスが基板の表側表面に到達することが阻止される。そして、隙間をたまたま通り抜けた堆積ガスは、第１の真空排気口１７４に流れることとなり、表側表面１０６には到達しないであろう。幾つかの実施形態では、第１の真空排気口１７４及び第２の真空排気口１３４の両方に単一の真空ポンプが使用されてよい。排気ガスが単一の真空ポンプに流れることを支援する圧力低下を形成する為に、排気導管のサイズを変化させてよい。
【００３４】
別の実施形態は、基板の表側表面を保護する為に、圧力差を使用して基板の裏側に膜を堆積させる装置を含む。この実施形態では、プロセスチャンバが上部セクション及び下部セクションを有する。基板支持部がプロセスチャンバ内に配置されており、基板を上部セクションと下部セクションとの間で保持するように構成されている。この支持部は、例えば、剛体の環状支持部であってよい。基板は、電気デバイス用の表側表面と、表側表面の反対側の裏側表面とを有する。基板支持部は、表側表面の内側領域と接触することなく、且つ、裏側表面の内側領域と接触することなく、基板を基板の外周部で支持するように構成されている。基板支持部は、表側表面が上部セクションに向いていて、裏側表面が下部セクションに向いている状態で、基板を支持するように構成されている。
【００３５】
第１のガス分配ユニットが、下部セクションに配置されており、基板が基板支持機構によって保持されている場合には基板の裏側表面と向き合う。第１のガス分配ユニットは、基板の裏側表面に膜を堆積させる為の堆積ガスを基板の裏側表面に誘導するように構成されている。これは、基板の径とほぼ同径のシャワーヘッドアセンブリを含んでよく、或いは、シャワーヘッドアセンブリは、堆積ガスを半径方向に基板の裏側表面全体にわたって流す為に、基板の径よりかなり小径であってよく、且つ、基板の中心点の近くに配置されてよい。
【００３６】
第２のガス分配ユニットが、下部セクションより大きなガス圧力を上部セクションに形成するのに十分な不活性ガスをプロセスチャンバの上部セクションに流すように構成されている。第２のガス分配ユニットは、シャワーヘッドアセンブリとして、或いは、中央部に配置された導管、又は周辺部に配置された導管等として実施されてよい。
【００３７】
コントローラが、第１のガス分配ユニットからの堆積ガスの流れを、堆積ガスが基板の裏側表面に堆積するように制御するよう構成される。コントローラは更に、基板が基板支持部の上に載っているときに堆積ガスが下部セクションから基板の表側表面に通り抜けることを防ぐのに十分なガス圧力差を維持するように、上部セクションに入る不活性ガスの流れを制御するように構成されている。コントローラは、１つ又は複数のコントローラとして実施されてよい。
【００３８】
第１の真空排気口が上部セクションにつながっていてよく、第２の真空排気口が下部セクションにつながっていてよい。コントローラは、基板がプロセスチャンバ内で支持されているときに上部セクションと下部セクションとの間に圧力差が形成されるように（又は圧力差の形成を支援するように）、第１の真空排気口及び第２の真空排気口を制御するように構成されてよい。別の実施形態では、第１の真空排気口は上部セクションにつながっており、第２の真空排気口が下部セクションにつながっており、第１の真空排気口及び第２の真空排気口は単一の真空ポンプにつながっている。
【００３９】
従って、基板の作業面に望ましくない材料を堆積させることなく裏側ウェーハ堆積を実行するように、圧力差及び／又は不活性ガス流が使用されてよい。
【００４０】
ここまでの記述では、プロセスシステムの特定のジオメトリや、そのプロセスシステムで使用される様々な構成要素及びプロセスの説明など、具体的な詳細を述べてきた。しかしながら、当然のこととして、本明細書に記載の技術は、それらの具体的詳細から離れた別の実施形態で実施されてよく、そのような詳細は、限定ではなく説明を目的としたものである。本明細書に開示の実施形態の説明は、添付図面を参照しながら行った。同様に、具体的な数、材料、及び構成についても、十分な理解が得られるように、説明を目的として述べた。しかしながら、実施形態は、そのような具体的詳細がなくても実施可能である。機能的構造がほぼ同じである構成要素については、類似の参照符号で示しており、従って、重複する説明を省略した場合がある。
【００４１】
様々な実施形態を理解しやすくする為に、様々な技術を複数の離散的操作として説明した。説明の順序は、それらの操作が必ず順序依存であることを示唆するものとして解釈されるべきではない。実際、これらの操作は、説明された順序で実施される必要がない。説明された各操作は、説明された実施形態と異なる順序で実施されてよい。様々な追加操作が実施されてよく、且つ／又は別の実施形態では説明された操作が省略されてよい。
【００４２】
本明細書では「基板」又は「ターゲット基板」は、一般に、本発明によるプロセスの対象物を意味する。基板は、デバイス（具体的には、半導体又は他の電子デバイス）の任意の材料部分又は構造を含んでよく、且つ、例えば、半導体ウェーハ、レチクル等のベース基板構造であってよく、或いは、ベース基板構造上の、又はベース基板構造にオーバーレイしている、薄膜等の層であってよい。従って、基板は、パターン形成済みかどうかにかかわらず、いかなる特定の基板構造、アンダーレイ層、又はオーバーレイ層にも限定されず、むしろ、任意のそのような層又はベース構造、並びに層及び／又はベース構造の任意の組み合わせを包含するものと想定されている。本明細書では特定のタイプの基板を参照している場合があるが、これはあくまで例示を目的としたものである。
【００４３】
当業者であれば更に理解されるように、上述の技術の操作には、本発明と同じ目的が達成される限り、様々な変形が施されてよい。そのような変形は、本開示の範囲に包含されるものとする。従って、本発明の実施形態のこれまでの説明は、限定的であることを意図していない。むしろ、本発明の実施形態に対する限定は全て、以下の特許請求項において示されている。
【図１】
2020529130.tif 000003
【図２】
2020529130.tif 000004
【図３】
2020529130.tif 000005
【図４】
2020529130.tif 000006
【図５】
2020529130.tif 000007
【図６】
2020529130.tif 000008
【国際調査報告】
2020529130.tif 000009
2020529130.tif 000010